(57)【要約】【課題】照明器具の安全性を向上することができる照明器具用アダプタを提供する。【解決手段】照明器具用アダプタ１００は、筐体１１０と、給電用の第一端子１２１及び第二端子１２２と、接地用の第三端子１２３とを備える。照明器具用アダプタ１００は、第一端子１２１、第二端子１２２、及び、第三端子１２３のそれぞれが引掛シーリングボディに設けられた挿通孔に挿通された状態で回動されることにより引掛シーリングボディに取り付けられる。第一端子１２１、第二端子１２２、及び、第三端子１２３は、回動の軸の位置Ｐを中心とした円周上に配置される。【選択図】図６
2020087663.tif 000002
【特許請求の範囲】
【請求項１】
引掛シーリングボディと照明器具の器具本体とを接続するための照明器具用アダプタであって、
前記引掛シーリングボディに対向する対向面を有する筐体と、
前記対向面に設けられた、給電用の第一端子及び第二端子と、
前記対向面に設けられた、接地用の第三端子とを備え、
前記照明器具用アダプタは、前記第一端子、前記第二端子、及び、前記第三端子のそれぞれが前記引掛シーリングボディに設けられた挿通孔に挿通された状態で回動されることにより前記引掛シーリングボディに取り付けられ、
前記対向面において、前記第一端子、前記第二端子、及び、前記第三端子は、前記回動の軸の位置を中心とした円周上に配置される
照明器具用アダプタ。
【請求項２】
前記第一端子、前記第二端子、及び、前記第三端子は、前記回動の軸の位置を中心とした円周上に等ピッチで配置される
請求項１に記載の照明器具用アダプタ。
【請求項３】
前記対向面を前記引掛シーリングボディ側から見た場合に、前記第一端子、前記第二端子、及び、前記第三端子は、前記回動の軸の位置を中心とした円周上に、時計回りの方向においてこの順番で配置され、
前記第一端子及び前記第三端子のピッチは、１２０°よりも大きく、
前記第二端子及び前記第三端子のピッチは、１２０°よりも小さい
請求項１に記載の照明器具用アダプタ。
【請求項４】
前記第一端子及び前記第二端子のピッチは、１２０°である
請求項３に記載の照明器具用アダプタ。
【請求項５】
前記第一端子、前記第二端子、及び、前記第三端子のうちの一つの端子の周方向の長さは、他の二つの端子の周方向の長さのいずれよりも長い
請求項１〜４のいずれか１項に記載の照明器具用アダプタ。
【請求項６】
前記一つの端子は、前記第三端子である
請求項５に記載の照明器具用アダプタ。
【請求項７】
請求項１〜６のいずれか１項に記載の照明器具用アダプタと、
前記器具本体とを備える
照明器具。
【請求項８】
照明器具の器具本体を接続するための照明器具用アダプタが取り付けられる引掛シーリングボディであって、
前記照明器具用アダプタは、前記照明器具用アダプタが備える、給電用の第一端子及び第二端子、並びに、接地用の第三端子のそれぞれが前記引掛シーリングボディに設けられた挿通孔に挿通された状態で、回動されることにより前記引掛シーリングボディに取り付けられ、
前記引掛シーリングボディは、
前記第一端子が挿通される前記挿通孔である第一挿通孔、前記第二端子が挿通される前記挿通孔である第二挿通孔、及び、前記第三端子が挿通される前記挿通孔である第三挿通孔が設けられた本体部と、
前記本体部内に設けられた、前記第一端子が電気的に接続される第一接続端子と、
前記本体部内に設けられた、前記第二端子が電気的に接続される第二接続端子と、
前記本体部内に設けられた、前記第三端子が電気的に接続される第三接続端子とを備え、
前記本体部において、前記第一挿通孔、前記第二挿通孔、及び、前記第三挿通孔は、前記回動の軸の位置を中心とした円周上に配置される
引掛シーリングボディ。
【請求項９】
前記本体部において、前記第一挿通孔、前記第二挿通孔、及び、前記第三挿通孔は、前記回動の軸の位置を中心とした円周上に等ピッチで配置される
請求項８に記載の引掛シーリングボディ。
【請求項１０】
前記本体部内において、前記第一接続端子、前記第二接続端子、及び、前記第三接続端子は、前記回動の軸の位置を中心とした円周上に等ピッチで配置される
請求項８または９に記載の引掛シーリングボディ。
【請求項１１】
前記本体部内を前記引掛シーリングボディが取り付けられる構造物側から見た場合に、前記第一接続端子、前記第二接続端子、及び、前記第三接続端子は、前記回動の軸の位置を中心とした円周上に、時計回りの方向においてこの順番で配置され、
前記第一接続端子及び前記第三接続端子のピッチは、１２０°よりも小さく、
前記第二接続端子及び前記第三接続端子のピッチは、１２０°よりも大きい
請求項８または９に記載の引掛シーリングボディ。
【請求項１２】
前記第一接続端子及び前記第二接続端子のピッチは、１２０°である
請求項１１に記載の引掛シーリングボディ。
【請求項１３】
前記第一挿通孔、前記第二挿通孔、及び、前記第三挿通孔のそれぞれは、前記回動の軸の位置を中心とした円周の周方向に沿う形状を有し、
前記第一挿通孔、前記第二挿通孔、及び、前記第三挿通孔のそれぞれの当該周方向の一方の端部は、径方向の幅が他の部分よりも広い幅広部となっており、
前記第一挿通孔、前記第二挿通孔、及び、前記第三挿通孔のうちの一つの挿通孔の前記幅広部の周方向の長さは、他の二つの挿通孔の前記幅広部の周方向の長さのいずれよりも長い
請求項８〜１２のいずれか１項に記載の引掛シーリングボディ。
【請求項１４】
前記一つの挿通孔は、前記第三挿通孔である
請求項１３に記載の引掛シーリングボディ。
【発明の詳細な説明】
【技術分野】
【０００１】
本発明は、天井に設けられた引掛シーリングボディに照明器具を接続するための照明器具用アダプタ、及び、これを備える照明器具に関する。
【背景技術】
【０００２】
従来、天井に設けられた引掛シーリングボディに照明器具を電気的及び機械的に接続するための照明器具用アダプタが知られている（例えば、特許文献１参照）。
【先行技術文献】
【特許文献】
【０００３】
【特許文献１】特開２０１１−１５４８８９号公報
【発明の概要】
【発明が解決しようとする課題】
【０００４】
本発明は、照明器具の安全性を向上することができる照明器具用アダプタ、及び、これを備える照明器具を提供する。
【課題を解決するための手段】
【０００５】
本発明の一態様に係る照明器具用アダプタは、引掛シーリングボディと照明器具の器具本体とを接続するための照明器具用アダプタであって、前記引掛シーリングボディに対向する対向面を有する筐体と、前記対向面に設けられた、給電用の第一端子及び第二端子と、前記対向面に設けられた、接地用の第三端子とを備え、前記照明器具用アダプタは、前記第一端子、前記第二端子、及び、前記第三端子のそれぞれが前記引掛シーリングボディに設けられた挿通孔に挿通された状態で回動されることにより前記引掛シーリングボディに取り付けられ、前記対向面において、前記第一端子、前記第二端子、及び、前記第三端子は、前記回動の軸の位置を中心とした円周上に配置される。
【０００６】
本発明の一態様に係る照明器具は、前記照明器具用アダプタと、前記器具本体とを備える。
【０００７】
本発明の一態様に係る引掛シーリングボディは、照明器具の器具本体を接続するための照明器具用アダプタが取り付けられる引掛シーリングボディであって、前記照明器具用アダプタは、前記照明器具用アダプタが備える、給電用の第一端子及び第二端子、並びに、接地用の第三端子のそれぞれが前記引掛シーリングボディに設けられた挿通孔に挿通された状態で、回動されることにより前記引掛シーリングボディに取り付けられ、前記引掛シーリングボディは、前記第一端子が挿通される前記挿通孔である第一挿通孔、前記第二端子が挿通される前記挿通孔である第二挿通孔、及び、前記第三端子が挿通される前記挿通孔である第三挿通孔が設けられた本体部と、前記本体部内に設けられた、前記第一端子が電気的に接続される第一接続端子と、前記本体部内に設けられた、前記第二端子が電気的に接続される第二接続端子と、前記本体部内に設けられた、前記第三端子が電気的に接続される第三接続端子とを備え、前記本体部において、前記第一挿通孔、前記第二挿通孔、及び、前記第三挿通孔は、前記回動の軸の位置を中心とした円周上に配置される。
【発明の効果】
【０００８】
本発明によれば、照明器具の安全性を向上することができる照明器具用アダプタ、及び、これを備える照明器具が実現される。
【図面の簡単な説明】
【０００９】
【図１】図１は、実施の形態に係る照明器具の分解斜視図である。
【図２】図２は、実施の形態に係る照明器具用アダプタを下方から見た外観斜視図である。
【図３】図３は、実施の形態に係る照明器具用アダプタを上方から見た外観斜視図である。
【図４】図４は、実施の形態に係る照明器具用アダプタを上方から見た分解斜視図である。
【図５】図５は、実施の形態に係る照明器具用アダプタを下方から見た分解斜視図である。
【図６】図６は、実施の形態に係る照明器具用アダプタを上方から見た場合の平面図である。
【図７】図７は、実施の形態に係る引掛シーリングボディを下方から見た平面図である。
【図８】図８は、実施の形態に係る引掛シーリングボディの内部を上方から見た平面図である。
【図９】図９は、実施の形態に係る照明器具用アダプタが途中まで取り付けられた状態の、実施の形態に係る引掛シーリングボディの内部を上方から見た平面図である。
【図１０】図１０は、変形例１に係る照明器具用アダプタを上方から見た平面図である。
【図１１】図１１は、変形例１に係る照明器具用アダプタが途中まで取り付けられた状態の、実施の形態に係る引掛シーリングボディの内部を上方から見た平面図である。
【図１２】図１２は、変形例２に係る引掛シーリングボディの内部を上方から見た平面図である。
【図１３】図１３は、実施の形態に係る照明器具用アダプタが途中まで取り付けられた状態の、変形例２に係る引掛シーリングボディの内部を上方から見た平面図である。
【発明を実施するための形態】
【００１０】
以下、実施の形態について、図面を参照しながら説明する。以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。
【００１１】
また、各図は模式図であり、必ずしも厳密に図示されたものではない。また、各図において、実質的に同一の構成に対しては同一の符号を付し、重複する説明は省略または簡略化される場合がある。また、下記の実施の形態において、「ほぼ」または「略」の表現には、製造誤差や寸法公差等を含むという意味もある。
【００１２】
また、以下の実施の形態で説明に用いられる図面においては座標軸が示される場合がある。Ｚ軸方向は、照明器具の高さ方向として説明される。Ｚ軸＋側は、上側（上方）と表現され、Ｚ軸−側は、下側（下方）と表現される場合がある。また、Ｘ軸方向及びＹ軸方向は、Ｚ軸方向に垂直な平面上において、互いに直交する方向である。以下の実施の形態において、平面視とは、Ｚ軸方向から見ることを意味する。
【００１３】
（実施の形態）
［照明器具の構造］
以下、実施の形態に係る照明器具について説明する。図１は、実施の形態に係る照明器具の分解斜視図である。図２は、図１の領域ＩＩの拡大図であって、実施の形態に係る照明器具用アダプタを下方から見た外観斜視図である。図３は、実施の形態に係る照明器具用アダプタを上方から見た外観斜視図である。また、図１〜図３には、天井などの構造物に設けられる引掛シーリングボディ２００も図示されている。
【００１４】
図１〜図３に示されるように、照明器具３００は、照明器具用アダプタ１００と、器具本体３１０と、光源ユニット３２０ａ及び３２０ｂと、コネクタ３３０と、蓋３４０と、グローブ３５０とを備える。器具本体３１０には、取り付け孔３６０が設けられている。
【００１５】
器具本体３１０には、光源ユニット３２０ａ及び光源ユニット３２０ｂと、光源ユニット３２０ａ及び光源ユニット３２０ｂに電気的に接続されたコネクタ３３０とが設けられている。また、器具本体３１０の中央部分には、円形の取り付け孔３６０が設けられている。
【００１６】
光源ユニット３２０ａ及び光源ユニット３２０ｂは、それぞれが内部に複数のＬＥＤを有する光源であり、例えば、グローブ３５０（下方）に向けて光を発する。
【００１７】
コネクタ３３０は、照明器具用アダプタ１００に接続されるコネクタである。コネクタ３３０が照明器具用アダプタ１００に接続されることにより、照明器具用アダプタ１００と、器具本体３１０とは電気的に接続される。
【００１８】
グローブ３５０は、透光性を有する光学部材であり、グローブ３５０の平面視形状は、角丸矩形状である。グローブ３５０は、器具本体３１０の下面を覆うように器具本体３１０に取り付けられる。グローブ３５０の平面視形状は、円形であってもよい。
【００１９】
照明器具用アダプタ１００は、引掛シーリングボディ２００と照明器具３００の器具本体３１０とを接続するためのアダプタである。照明器具用アダプタ１００は、筐体１１０を備え、筐体１１０の第一面１１１ａからは、断面Ｌ字状の、第一端子１２１及び第二端子１２２が突出している。第一端子１２１が引掛シーリングボディ２００の本体部２１０に設けられた第一挿通孔２１１に挿通され、第二端子１２２が第二挿通孔２１２に挿通され、第三端子１２３が第三挿通孔２１３に挿通された状態で照明器具用アダプタ１００が引掛シーリングボディ２００に対して取り付け方向に回動されることで、照明器具用アダプタ１００は、引掛シーリングボディ２００に取り付けられる。言い換えれば、照明器具用アダプタ１００は、引掛シーリングボディ２００に機械的及び電気的に接続される。
【００２０】
また、筐体１１０の側壁からは第一係止部材１３１及び第二係止部材１３２が突出しており、第一係止部材１３１及び第二係止部材１３２は、筐体１１０に収容されたねじりばね１７０（図１〜図３で図示せず。後述の図４及び図５で図示。）により、筐体１１０の内側から外側に向かって付勢されている。
【００２１】
ユーザは、取り付け孔３６０に照明器具用アダプタ１００の筐体１１０が挿入されるように器具本体３１０を押し上げる。このとき、取り付け孔３６０の内周面と、第一係止部材１３１及び第二係止部材１３２の端部の傾斜面とが当接し、第一係止部材１３１及び第二係止部材１３２が、ねじりばね１７０の付勢力に抗して筐体１１０の内側に向けて押し込まれる。
【００２２】
第一係止部材１３１及び第二係止部材１３２が取り付け孔３６０を通過すると、取り付け孔３６０の内周面と、第一係止部材１３１及び第二係止部材１３２の端部の傾斜面との当接が解消される。この結果、第一係止部材１３１及び第二係止部材１３２が、筐体１１０内のねじりばね１７０により与えられる付勢力によって筐体１１０の外側に突出する。そうすると、器具本体３１０の取り付け孔３６０の周縁部分が、第一係止部材１３１及び第二係止部材１３２に係止する。
【００２３】
その後、ユーザは、照明器具用アダプタ１００の筐体１１０の下面側に設けられたコネクタ挿入口１５０にコネクタ３３０を接続し、取り付け孔３６０を下面側から覆う蓋３４０と、グローブ３５０とを装着する。これにより、引掛シーリングボディ２００への照明器具３００の機械的及び電気的な取り付けが完了する。
【００２４】
また、照明器具３００の取り外し方法は、以下の通りである。ユーザは、まず、グローブ３５０と、蓋３４０とを外し、その後、コネクタ挿入口１５０からコネクタ３３０を取り外す。
【００２５】
次に、ユーザは、第一レバー１６１及び第二レバー１６２を、それぞれ筐体１１０の中央部分から外側に向けて引く。そうすると、第一係止部材１３１及び第二係止部材１３２は、筐体１１０の内側に移動する。これにより、ユーザは、器具本体３１０を照明器具用アダプタ１００から取り外すことができる。
【００２６】
また、ユーザは、照明器具用アダプタ１００を引掛シーリングボディ２００に対して取り外し方向に向けて回動させれば、照明器具用アダプタ１００を引掛シーリングボディ２００から取り外すことができる。
【００２７】
［照明器具用アダプタの構造］
次に、照明器具用アダプタ１００の構造について、図１〜図３に加えて図４及び図５を参照しながら説明する。図４は、照明器具用アダプタ１００を上方から見た分解斜視図である。図５は、照明器具用アダプタ１００を下方から見た分解斜視図である。なお、図４及び図５では、第一端子１２１の上部１２１ａ、及び、第一端子１２１の下部１２１ｂが分離して図示されているが、これらは実際には一体的に形成される。第二端子１２２及び第三端子１２３についても同様である。また、図４及び図５では、部材同士を固定するねじについては、図示が省略される。
【００２８】
照明器具用アダプタ１００は、筐体１１０と、第一端子１２１と、第二端子１２２と、第三端子１２３と、第一係止部材１３１と、第二係止部材１３２と、第一レバー１６１と、第二レバー１６２と、ねじりばね１７０とを備える。
【００２９】
筐体１１０は、照明器具用アダプタ１００が備える各構成要素を収容する略扁平円筒状の部材である。筐体１１０は、引掛シーリングボディ２００に対向する第一面１１１ａ、及び、第一面１１１ａと反対側の第二面１１２ａを有する。筐体１１０は、具体的には、第一面１１１ａ側の本体部１１１と、第二面１１２ａ側のカバー１１２とを有する。
【００３０】
本体部１１１は、第二面１１２ａ側が開口した略有底円筒状（扁平状）の部材である。本体部１１１は、例えば、絶縁性を有する樹脂材料により形成され、カバー１１２とともに照明器具用アダプタ１００の筐体１１０を構成する。
【００３１】
本体部１１１の引掛シーリングボディ２００に対向する部分には、３つの端子挿通孔が設けられる。３つの端子挿通孔は、照明器具用アダプタ１００の取り付けるときの回動の軸の位置を中心とした円周上に等ピッチで配置される。３つの端子挿通孔からは、第一端子１２１の上部１２１ａ、第二端子１２２の上部１２２ａ、及び、第三端子１２３の上部１２３ａが突出する。つまり、第一端子１２１の上部１２１ａ、第二端子１２２の上部１２２ａ、及び、第三端子１２３の上部１２３ａは、回動の軸の位置を中心とした円周上に等ピッチで配置される。図６は、照明器具用アダプタ１００を上方（つまり、引掛シーリングボディ２００側、Ｚ軸＋側）から見た場合の平面図である。
【００３２】
図６に示されるように、第一面１１１ａを引掛シーリングボディ２００側から見た場合に、第一端子１２１、第二端子１２２、及び、第三端子１２３は、回動の軸の位置Ｐを中心とした円周上に、時計回りの方向（言い換えれば、取り外し方向）においてこの順番で配置される。また、以下の実施の形態では、端子、挿通孔、及び、接続端子などに関するピッチについては、中心角の角度で表現される。図６に示されるように、第一端子１２１及び第二端子１２２のピッチ、第一端子１２１及び第三端子１２３のピッチ、及び、第二端子１２２及び第三端子１２３のピッチのそれぞれは、１２０°である。なお、図６に示される第一端子１２１の周方向の長さＬａ１、第二端子１２２の周方向の長さＬａ２、第三端子の周方向の長さＬａ３は等しくてもよいが、照明器具用アダプタ１００においては、第三端子１２３の周方向の長さＬａ３は、第一端子１２１の周方向の長さＬａ１、及び、第二端子１２２の周方向の長さＬａ２のいずれよりも長い。この理由については後述される。
【００３３】
本体部１１１の側壁部には、第一開口１１１ｃ１及び第二開口１１１ｃ２が設けられる。第一開口１１１ｃ１からは、第一係止部材１３１が本体部１１１の外側に向けて突出している。第二開口１１１ｃ２からは、第二係止部材１３２が本体部１１１の外側に向けて突出している。
【００３４】
本体部１１１の内側には、コネクタ挿入口１５０が設けられている。コネクタ挿入口１５０は、本体部１１１のうち引掛シーリングボディ２００に対向する部分の内面から、第二面１１２ａ側に向けて筒状に延出した部分である。コネクタ挿入口１５０は、カバー１１２の中央に設けられた開口１１２ｂを通じて筐体１１０から外部に露出し、器具本体３１０のコネクタ３３０が抜き挿し自在に接続される。コネクタ挿入口１５０の平面視形状は、略Ｔ状であり、コネクタ３３０もこれに対応した形状となる。コネクタ挿入口１５０は、筐体１１０の第二面１１２ａ側に設けられた凹部の一例である。
【００３５】
カバー１１２は、本体部１１１の下面側を覆う金属製で板状の部材である。カバー１１２は、筐体１１０の第二面１１２ａを構成する。つまり、筐体１１０の第二面１１２ａ側の少なくとも一部は、金属によって形成される。カバー１１２の中央には、開口１１２ｂが設けられる。当該開口１１２ｂからは、コネクタ挿入口１５０並びに第一レバー１６１の第一被操作部１６１ａ及び第二レバー１６２の第二被操作部１６２ａが外部に露出する。
【００３６】
第一端子１２１、第二端子１２２、及び、第三端子１２３は、金属製の板状の部材である。第一端子１２１、第二端子１２２、及び、第三端子１２３は、本体部１１１の内側にねじによって固定される。第一端子１２１の上部１２１ａは、筐体１１０に設けられた端子挿通孔から突出する。第一端子１２１の下部１２１ｂは、コネクタ挿入口１５０内に配置される。同様に、第二端子１２２の上部は、筐体１１０に設けられた端子挿通孔から突出する。第二端子１２２の他方の下部１２２ｂは、コネクタ挿入口１５０内に配置される。第三端子１２３の上部１２３ａは、筐体１１０に設けられた端子挿通孔から突出し、第三端子１２３の下部１２３ｂは、コネクタ挿入口１５０内に配置される。
【００３７】
第一端子１２１及び第二端子１２２は、照明器具３００が引掛シーリングボディ２００から電力供給を受けるための一対の給電用の端子である。第一端子１２１の上部１２１ａが第一挿通孔２１１に挿通され、かつ、第二端子１２２の上部１２２ａが第二挿通孔２１２に挿通された状態で照明器具用アダプタ１００が回動されると、第一端子１２１及び第二端子１２２は、引掛シーリングボディ２００内の一対の給電用の接続端子（後述の第一接続端子２２１及び第二接続端子２２２）に電気的に接続される。照明器具３００は、例えば、引掛シーリングボディ２００から交流電力の供給を受けるが、直流電力の供給を受けてもよい。
【００３８】
第三端子１２３は、照明器具用アダプタ１００の安全性を高めるための接地用の端子である。第三端子１２３の上部１２３ａが第三挿通孔２１３に挿通された状態で照明器具用アダプタ１００が回動されることにより、第三端子１２３は、引掛シーリングボディ２００内の接地用の接続端子（後述の第三接続端子２２３）に電気的に接続される。
【００３９】
また、第一端子１２１の上部１２１ａ、第二端子１２２の上部１２２ａ、及び、第三端子１２３の上部１２３ａのそれぞれは、Ｌ字状に折れ曲がっている。第一端子１２１の一方の上部１２１ａが第一挿通孔２１１に挿通され、第二端子１２２の上部１２２ａが第二挿通孔２１２に挿通され、かつ、第三端子１２３の上部１２３ａが第三挿通孔２１３に挿通された状態で照明器具用アダプタ１００が回動されると、照明器具用アダプタ１００が引掛シーリングボディ２００に引っ掛かる。つまり、第一端子１２１、第二端子１２２、及び、第三端子１２３は、照明器具用アダプタ１００の引掛シーリングボディ２００への機械的な接続にも用いられる。
【００４０】
第一端子１２１の下部１２１ｂ、第二端子１２２の下部１２２ｂ、及び、第三端子１２３の下部１２３ｂは、コネクタ３３０がコネクタ挿入口１５０に接続された状態において、コネクタ３３０内の金属端子と接続される。
【００４１】
なお、第三端子１２３の下部１２３ｂは、第一端子１２１の下部１２１ｂ、及び、第二端子１２２の下部１２２ｂよりも第二面１１２ａ側に突出していてもよい。
【００４２】
これにより、器具本体３１０及び照明器具用アダプタ１００を電気的に接続する際に、第三端子１２３が第一端子１２１及び第二端子１２２よりも先に器具本体３１０に電気的に接続されやすくなる。このため、器具本体３１０を照明器具用アダプタ１００に取り付ける際の安全性を向上することができる。
【００４３】
第一係止部材１３１及び第二係止部材１３２は、照明器具用アダプタ１００が器具本体３１０を保持するための樹脂製の部材である。言い換えれば、第一係止部材１３１及び第二係止部材１３２は、器具本体３１０を照明器具用アダプタ１００に係止させるための部材であり、器具本体３１０は、第一係止部材１３１及び第二係止部材１３２に係止する。
【００４４】
第一係止部材１３１は、ねじりばね１７０によって筐体１１０の内側から外部に向けて付勢されており、第一開口１１１ｃ１から筐体１１０の外側に向けて突出している。第二係止部材１３２は、ねじりばね１７０によって筐体１１０の内側から外部に向けて付勢されており、第二開口１１１ｃ２から筐体１１０の外側に向けて突出している。
【００４５】
ねじりばね１７０は、第一係止部材１３１及び第二係止部材１３２を筐体１１０の外側に向けて付勢する金属製の弾性部材である。ねじりばね１７０は、第一係止部材１３１を筐体１１０の側壁に設けられた第一開口１１１ｃ１から筐体１１０の外側に向けて突出させる。また、ねじりばね１７０は、第二係止部材１３２を筐体１１０の側壁に設けられた第二開口１１１ｃ２から筐体１１０の外側に向けて突出させる。
【００４６】
ねじりばね１７０は、具体的には、第一係止部材１３１に接続される第一アーム部１７１と、第二係止部材１３２に接続される第二アーム部１７２と、第一アーム部１７１及び第二アーム部１７２を接続する巻回部１７３とを有する。つまり、ねじりばね１７０は、巻回部１７３を介して接続される第一アーム部１７１及び第二アーム部１７２を含む。
【００４７】
巻回部１７３は、ねじりばね１７０の元の線状の金属部材が螺旋状に巻回された部分である。巻回部１７３には、筐体１１０の内部に設けられた突起１１３が挿通される。突起１１３は、円柱状であり、言い換えればボスである。突起１１３にはカバー１１２を本体部１１１に固定するためのねじが挿入されるねじ穴が設けられている。
【００４８】
第一係止部材１３１は、第一レバー１６１が操作されることにより、Ｙ軸方向に沿って移動する。第二係止部材１３２は、第二レバー１６２が操作されることにより、Ｙ軸方向に沿って移動する。
【００４９】
第一レバー１６１及び第二レバー１６２は、器具本体３１０を照明器具用アダプタ１００から取り外すために操作される樹脂製の部材である。
【００５０】
第一レバー１６１は、第一係止部材１３１と連結され、第一係止部材１３１をＹ軸方向に沿って移動させるための部材である。第一レバー１６１は、第一被操作部１６１ａ及び第一連結部１６１ｂを有する。
【００５１】
第一被操作部１６１ａは、第一係止部材１３１を筐体１１０の内側に向けて動かすためにユーザによって操作される。第一被操作部１６１ａは、カバー１１２に設けられた開口１１２ｂから筐体１１０の外側に突出する。開口１１２ｂは、筐体１１０の第二面１１２ａ側に設けられた開口の一例である。
【００５２】
第一連結部１６１ｂは、第一被操作部１６１ａ及び第一係止部材１３１を連結する。第一連結部１６１ｂは、第一係止部材１３１の凹部１３１ａに配置され、これにより第一レバー１６１と第一係止部材１３１とは係合する。つまり、第一被操作部１６１ａ及び第一係止部材１３１が連結される。第一被操作部１６１ａが筐体１１０の中央部分から外側に向けて引っ張られることで第一係止部材１３１は、ねじりばね１７０の弾性力に抗して筐体１１０の内側に移動する。
【００５３】
第二レバー１６２は、第二係止部材１３２をＹ軸方向に沿って移動させるための部材である。第二レバー１６２は、第二被操作部１６２ａ及び第二連結部１６２ｂを有する。
【００５４】
第二被操作部１６２ａは、第二係止部材１３２を筐体１１０の内側に向けて動かすためにユーザによって操作される。第二被操作部１６２ａは、カバー１１２に設けられた開口１１２ｂから筐体１１０の外側に突出する。開口１１２ｂは、筐体１１０の第二面１１２ａ側に設けられた開口の一例である。
【００５５】
第二連結部１６２ｂは、第二被操作部１６２ａ及び第二係止部材１３２を連結する。第二連結部１６２ｂは、第二係止部材１３２の凹部１３２ａに配置され、これにより第二レバー１６２と第二係止部材１３２とは係合する。つまり、第二被操作部１６２ａ及び第二係止部材１３２が連結される。第二被操作部１６２ａが筐体１１０の中央部分から筐体１１０の外側に向けて引っ張られることで第二係止部材１３２は、ねじりばね１７０の弾性力に抗して筐体１１０の内側に移動する。
【００５６】
このように、ユーザは、第一被操作部１６１ａ及び第二被操作部１６２ａのそれぞれを筐体１１０の中央部分から外側に向けて引くことで、第一係止部材１３１及び第二係止部材１３２を筐体１１０内に移動させ、器具本体３１０を照明器具用アダプタ１００から取り外すことができる。
【００５７】
［引掛シーリングボディの構造］
次に、引掛シーリングボディ２００の構造について上記図１〜図３に加えて、図７及び図８を参照しながら説明する。図７は、引掛シーリングボディ２００を下方（つまり、照明器具用アダプタ１００側、Ｚ軸−側）から見た平面図である。図８は、引掛シーリングボディ２００の内部を上方（つまり、引掛シーリングボディ２００が取り付けられる構造物側、Ｚ軸＋側）から見た平面図である。
【００５８】
引掛シーリングボディ２００は、本体部２１０と、本体部２１０内に収容された第一接続端子２２１、第二接続端子２２２、及び、第三接続端子２２３とを備える。
【００５９】
本体部２１０は、上部が開口した略有底円筒状の部材である。本体部２１０は、例えば、絶縁性を有する樹脂材料により形成される。本体部２１０の照明器具用アダプタ１００と対向する部分には、第一挿通孔２１１、第二挿通孔２１２、及び、第三挿通孔２１３が設けられる。
【００６０】
第一挿通孔２１１は、第一端子１２１が挿通される挿通孔であり、第二挿通孔２１２は、第二端子１２２が挿通される挿通孔であり、第三挿通孔２１３は、第三端子１２３が挿通される挿通孔である。第一挿通孔２１１、第二挿通孔２１２、及び、第三挿通孔２１３のそれぞれは、回動の軸の位置Ｐを中心とした円周に沿う長尺状（言い換えれば、アーチ状）である。第一挿通孔２１１の周方向の一方の端部は、径方向の幅が他の部分よりも広い幅広部となっている。
【００６１】
このような幅広部によれば、第一挿通孔２１１の周方向の一方の端部において、第一端子１２１の第一挿通孔２１１への挿通が可能となる。第一端子１２１が第一挿通孔２１１に挿通された状態で照明器具用アダプタ１００が取り付け方向に回動されると、第一端子の１２１の折れ曲がった部分が本体部２１０の第一挿通孔２１１の縁となる部分に引っ掛かる。つまり、第一端子１２１が第一挿通孔２１１から抜けなくなる。これにより、照明器具用アダプタ１００及び引掛シーリングボディ２００が機械的に接続される。第二挿通孔２１２及び第三挿通孔２１３についても同様である。
【００６２】
本体部２１０において、第一挿通孔２１１、第二挿通孔２１２、及び、第三挿通孔２１３は、回動の軸の位置Ｐを中心とした円周上に等ピッチで配置される。図７に示されるように、第一挿通孔２１１及び第二挿通孔２１２のピッチ、第一挿通孔２１１及び第二挿通孔２１２のピッチ、及び、第二挿通孔２１２及び第三挿通孔２１３のピッチのそれぞれは、１２０°である。これら３つのピッチのそれぞれは、挿通孔の周方向における一端（言い換えれば、始端）を基準にした場合も、挿通孔の周方向における他端（言い換えれば、終端）を基準にした場合も１２０°である。なお、等ピッチとは、実質的にピッチが等しいことを意味する、等ピッチは、厳密な意味でピッチが等しいことを意味するものではなく、数°程度の誤差を含んでもよい。なお、第一挿通孔２１１、第二挿通孔２１２、及び、第三挿通孔２１３は、回動の軸の位置Ｐを中心とした円周上に等ピッチで配置される必要はなく、第一端子１２１、第二端子１２２、及び、第三端子１２３が挿通できるのであれば等ピッチでなくてもよい。
【００６３】
次に、第一接続端子２２１、第二接続端子２２２、及び、第三接続端子２２３について説明する。第一接続端子２２１、第二接続端子２２２、及び、第三接続端子２２３は、本体部２１０内に設けられる金属製の端子である。第一接続端子２２１は、第一端子１２１が電気的に接続される接続端子であり、第二接続端子２２２は、第二端子１２２が電気的に接続される接続端子であり、第三接続端子２２３は、第三端子１２３が電気的に接続される接続端子である。第一接続端子２２１、第二接続端子２２２、及び、第三接続端子２２３は、同一の形状及び大きさの部材である。つまり、第一接続端子２２１、第二接続端子２２２、及び、第三接続端子２２３は、工業製品（言い換えれば、部品）として同一である。
【００６４】
本体部２１０内において、第一接続端子２２１、第二接続端子２２２、及び、第三接続端子２２３は、回動の軸の位置Ｐを中心とした円周上に等ピッチで配置される。図８に示されるように、第一接続端子２２１及び第二接続端子２２２のピッチ、第一接続端子２２１及び第二接続端子２２２のピッチ、及び、第二接続端子２２２及び第三接続端子２２３のピッチのそれぞれは、１２０°である。
【００６５】
第一端子１２１が第一挿通孔２１１に挿通された状態で照明器具用アダプタ１００が取り付け方向に回動されると、第一端子１２１と第一接続端子２２１とが電気的に接続される。同様に、第二端子１２２が第二挿通孔２１２に挿通された状態で照明器具用アダプタ１００が取り付け方向に回動されると、第二端子１２２と第二接続端子２２２とが電気的に接続される。第三端子１２３が第三挿通孔２１３に挿通された状態で照明器具用アダプタ１００が取り付け方向に回動されると、第三端子１２３と第三接続端子２２３とが電気的に接続される。この結果、照明器具用アダプタ１００及び引掛シーリングボディ２００が電気的に接続される。図９は、照明器具用アダプタ１００が途中まで取り付けられた状態の引掛シーリングボディ２００の内部を上方から見た平面図である。図９に示されるように、第一接続端子２２１は、例えば、第一端子１２１と引掛シーリングボディ２００の本体部２１０の底部との間に挟み込まれる。第二接続端子２２２及び第三接続端子２２３も同様である。
【００６６】
［誤接続の抑制］
ところで、照明器具用アダプタ１００の第三端子１２３は、接地用の端子である。このため、第三端子１２３が誤って第一接続端子２２１または第二接続端子２２２に電気的に接続されてしまう（以下、誤接続とも記載される）と、照明器具３００の故障などの原因となる。つまり、第三端子１２３が誤って第一挿通孔２１１または第二挿通孔２１２に挿通されてしまうことを抑制することが課題となる。
【００６７】
そこで、上記図６に示されるように、第三端子１２３の周方向の長さＬａ３は、第一端子１２１の周方向の長さＬａ１、及び、第二端子１２２の周方向の長さＬａ２のいずれよりも長い。また、上記図７に示されるように、第三挿通孔２１３の幅広部の周方向の長さＬｃ３は、第一挿通孔２１１の幅広部の周方向の長さＬｃ１、及び、第二挿通孔２１２の幅広部の周方向の長さＬｃ２のいずれよりも長い。
【００６８】
これにより、第三端子１２３の周方向の長さＬａ３が、第三挿通孔２１３の幅広部の周方向の長さＬｃ３よりも短く、かつ、第一挿通孔２１１の幅広部の周方向の長さＬｃ１、及び、第二挿通孔２１２の幅広部の周方向の長さＬｃ２のいずれよりも短ければ、ユーザは、第三端子１２３を、第一挿通孔２１１及び第二挿通孔２１２に挿通することができない。つまり、第三端子１２３が誤って第一接続端子２２１または第二接続端子２２２に電気的に接続されてしまうことが抑制される。
【００６９】
なお、第一端子１２１を第一挿通孔２１１に挿通できるように、第一挿通孔２１１の幅広部の周方向の長さＬｃ１は、第一端子１２１の周方向の長さＬａ１よりも長い必要がある。同様に、第二端子１２２を第二挿通孔２１２に挿通できるように、第二挿通孔２１２の幅広部の周方向の長さＬｃ２は、第二端子１２２の周方向の長さＬａ２よりも長い必要がある。このような条件を全て満たす具体的な寸法は、例えば、Ｌａ１＝Ｌａ２＝２．５ｍｍ、Ｌａ３＝４．５ｍｍ、Ｌｃ１＝Ｌｃ２＝３．４ｍｍ、Ｌｃ３＝５．８ｍｍである。
【００７０】
また、ここでは第三端子１２３の周方向の長さＬａ３が第一端子１２１の周方向の長さＬａ１、及び、第二端子１２２の周方向の長さＬａ２のいずれよりも長い例について説明した。しかしながら、第一端子１２１、第二端子１２２、及び、第三端子１２３のうちの一つの端子の周方向の長さが、他の二つの端子の周方向の長さのいずれよりも長ければ、上記の誤接続を抑制する構成を実現することができる。同様に、第一端子１２１、第二端子１２２、及び、第三端子１２３の周方向の長さの関係に対応して、第一挿通孔２１１、第二挿通孔２１２、及び、第三挿通孔２１３のうちの一つの挿通孔の幅広部の周方向の長さが、他の二つの挿通孔の幅広部の周方向の長さのいずれよりも長ければ、上記の誤接続を抑制する構成を実現することができる。
【００７１】
［変形例１］
照明器具用アダプタ１００においては、第一端子１２１、第二端子１２２、及び、第三端子１２３は、回動の軸の位置Ｐを中心とした円周上に等ピッチで配置された。しかしながら、第一端子１２１、第二端子１２２、及び、第三端子１２３は、等ピッチで配置されなくてもよい。図１０は、このような変形例１に係る照明器具用アダプタを上方から見た平面図である。
【００７２】
図１０に示される照明器具用アダプタ１１００を上方から見た場合に、第一端子１２１、第二端子１２２、及び、第三端子１２３は、回動の軸の位置Ｐを中心とした円周上に、時計回りの方向においてこの順番で配置される。
【００７３】
例えば、第一端子１２１及び第二端子１２２のピッチは、１２０°であり、第一端子１２１及び第三端子１２３のピッチは、１２５°であり、第二端子１２２及び第三端子１２３のピッチは、１１５°である。
【００７４】
このように、第一端子１２１、第二端子１２２、及び、第三端子１２３が不均等に配置された照明器具用アダプタ１１００を引掛シーリングボディ２００に取り付けるときには、図１１に示されるように、第三端子１２３が第一端子１２１及び第二端子１２２よりも先に第三接続端子２２３に接続される。図１１は、照明器具用アダプタ１１００が途中まで取り付けられた状態の引掛シーリングボディ２００の内部を上方から見た平面図である。第三端子１２３は、接地用の端子である。このため、第三端子１２３が第一端子１２１及び第二端子１２２よりも先に第三接続端子２２３に接続されれば、照明器具用アダプタ１００を引掛シーリングボディ１２００に取り付ける際の安全性を向上することができる。
【００７５】
なお、第一端子１２１及び第三端子１２３のピッチは、１２０°よりも大きければよく、１２０°+αの式で表現される。また、第二端子１２２及び第三端子１２３のピッチは、１２０°よりも小さければよく、１２０°−αの式で表現される。αは、例えば、０°＜α≦１０°を満たす。
【００７６】
また、第一端子１２１及び第二端子１２２のピッチは、１２０°に限定されない。第一端子１２１及び第二端子１２２のピッチをα１、第一端子１２１及び第三端子１２３のピッチをα２、第二端子１２２及び第三端子１２３のピッチをα３とすると、（ｉ）α３＜１２０°、（ｉｉ）α３＜α１＜１２０°−（α３−１２０°）、（ｉｉｉ）α１＋α２＋α３＝３６０°の３つの条件が満たされれば、第三端子１２３が第一端子１２１及び第二端子１２２よりも先に第三接続端子２２３に接続される。
【００７７】
［変形例２］
引掛シーリングボディ２００においては、第一接続端子２２１、第二接続端子２２２、及び、第三接続端子２２３は、回動の軸の位置Ｐを中心とした円周上に等ピッチで配置された。しかしながら、第一接続端子２２１、第二接続端子２２２、及び、第三接続端子２２３は、等ピッチで配置されなくてもよい。図１２は、このような変形例２に係る引掛シーリングボディの内部を上方から見た平面図である。
【００７８】
図１２に示される引掛シーリングボディ１２００が備える本体部２１０内を上方から見た場合に、第一接続端子２２１、第二接続端子２２２、及び、第三接続端子２２３は、回動の軸の位置Ｐを中心とした円周上に、時計回りの方向においてこの順番で配置される。
【００７９】
例えば、第一接続端子２２１及び第二接続端子２２２のピッチは、１２０°であり、第一接続端子２２１及び第三接続端子２２３のピッチは、１１５°であり、第二接続端子２２２及び第三接続端子２２３のピッチは、１２５°である。
【００８０】
このように、第一接続端子２２１、第二接続端子２２２、及び、第三接続端子２２３が不均等に配置された引掛シーリングボディ１２００に、照明器具用アダプタ１００を取り付けるときには、図１３に示されるように、第三端子１２３が第一端子１２１及び第二端子１２２よりも先に第三接続端子２２３に接続される。図１３は、照明器具用アダプタ１００が途中まで取り付けられた状態の引掛シーリングボディ１２００の内部を上方から見た平面図である。第三端子１２３は、接地用の端子である。このため、第三端子１２３が第一端子１２１及び第二端子１２２よりも先に第三接続端子２２３に接続されれば、照明器具用アダプタ１００を引掛シーリングボディ１２００に取り付ける際の安全性を向上することができる。
【００８１】
なお、第一接続端子２２１及び第三接続端子２２３のピッチは、１２０°よりも小さければよく、１２０°−βの式で表現される。また、第二接続端子２２２及び第三接続端子２２３のピッチは、１２０°よりも大きければよく、１２０°＋βの式で表現される。βは、例えば、０°＜β≦１０°を満たす。
【００８２】
また、第一接続端子２２１及び第二接続端子２２２のピッチは、１２０°に限定されない。第一接続端子２２１及び第二接続端子２２２のピッチをα１、第一接続端子２２１及び第三接続端子２２３のピッチをα２、第二接続端子２２２及び第三接続端子２２３のピッチをα３とすると、（ｉ）β２＜１２０°、（ｉｉ）１２０°＋（１２０°―β２）＞β１＞β２、（ｉｉｉ）β１＋β２＋β３＝３６０°の３つの条件が満たされれば、第三端子１２３が第一端子１２１及び第二端子１２２よりも先に第三接続端子２２３に接続される。
【００８３】
［変形例３］
変形例１に係る照明器具用アダプタ１１００と、変形例２に係る引掛シーリングボディ１２００とを組み合わせて、第三端子１２３が第一端子１２１及び第二端子１２２よりも先に第三接続端子２２３に接続される構成を実現することもできる。例えば、照明器具用アダプタ１１００において、α＝２．５°とし、引掛シーリングボディ１２００においてβ＝２．５°とされれば、照明器具用アダプタ１１００を引掛シーリングボディ１２００に取り付ける際に、第三端子１２３が第一端子１２１及び第二端子１２２よりも先に第三接続端子２２３に接続される。
【００８４】
［効果等］
以上説明したように、照明器具用アダプタ１００は、引掛シーリングボディ２００と照明器具３００の器具本体３１０とを接続するための照明器具用アダプタである。照明器具用アダプタ１００は、引掛シーリングボディ２００に対向する第一面１１１ａを有する筐体１１０と、第一面１１１ａに設けられた、給電用の第一端子１２１及び第二端子１２２と、第一面１１１ａに設けられた、接地用の第三端子１２３とを備える。照明器具用アダプタ１００は、第一端子１２１、第二端子１２２、及び、第三端子１２３のそれぞれが引掛シーリングボディ２００に設けられた挿通孔に挿通された状態で回動されることにより引掛シーリングボディ２００に取り付けられる。第一面１１１ａにおいて、第一端子１２１、第二端子１２２、及び、第三端子１２３は、回動の軸の位置Ｐを中心とした円周上に配置される。第一面１１１ａは、対向面の一例である。
【００８５】
このような照明器具用アダプタ１００は、照明器具用アダプタ１００に接地用の第三端子１２３が設けられているため、照明器具３００の安全性を向上することができる。また、照明器具用アダプタ１００の引掛シーリングボディ２００への取り付け強度は、端子を二つだけ有する照明器具用アダプタよりも向上される。
【００８６】
第一端子１２１、第二端子１２２、及び、第三端子１２３は、回動の軸の位置Ｐを中心とした円周上に等ピッチで配置される。
【００８７】
これにより、３つの端子が回動の軸の位置Ｐを中心とした円周上に等ピッチで配置されているため、照明器具用アダプタ１００の引掛シーリングボディ２００への取り付けバランスは、端子を二つだけ有する照明器具用アダプタよりも向上される。さらに、照明器具用アダプタ１００が引掛シーリングボディ１２００に取り付けられるときには、第三端子１２３が第一端子１２１及び第二端子１２２よりも先に第三接続端子２２３に接続される。第三端子１２３は接地用の端子であるため、第三端子１２３が第一端子１２１及び第二端子１２２よりも先に第三接続端子２２３に接続されれば、照明器具用アダプタ１００を引掛シーリングボディ１２００に取り付ける際の安全性を向上することができる。
【００８８】
また、例えば、照明器具用アダプタ１１００において、第一面１１１ａを引掛シーリングボディ２００側から見た場合に、第一端子１２１、第二端子１２２、及び、第三端子１２３は、回動の軸の位置Ｐを中心とした円周上に、時計回りの方向においてこの順番で配置される。第一端子１２１及び第三端子１２３のピッチは、１２０°よりも大きく、第二端子１２２及び第三端子１２３のピッチは、１２０°よりも小さい。
【００８９】
このような照明器具用アダプタ１１００が引掛シーリングボディ２００または引掛シーリングボディ１２００に取り付けられるときには、第三端子１２３が第一端子１２１及び第二端子１２２よりも先に第三接続端子２２３に接続される。第三端子１２３は接地用の端子であるため、第三端子１２３が第一端子１２１及び第二端子１２２よりも先に第三接続端子２２３に接続されれば、照明器具用アダプタ１１００を引掛シーリングボディ２００または引掛シーリングボディ１２００に取り付ける際の安全性を向上することができる。
【００９０】
また、例えば、照明器具用アダプタ１１００において、第一端子１２１及び第二端子１２２のピッチは、１２０°である。
【００９１】
このような照明器具用アダプタ１１００が引掛シーリングボディ２００または引掛シーリングボディ１２００に取り付けられるときには、第三端子１２３が第一端子１２１及び第二端子１２２よりも先に第三接続端子２２３に接続される。第三端子１２３は接地用の端子であるため、第三端子１２３が第一端子１２１及び第二端子１２２よりも先に第三接続端子２２３に接続されれば、照明器具用アダプタ１１００を引掛シーリングボディ２００または引掛シーリングボディ１２００に取り付ける際の安全性を向上することができる。
【００９２】
また、例えば、第一端子１２１、第二端子１２２、及び、第三端子１２３のうちの一つの端子の周方向の長さは、他の二つの端子の周方向の長さのいずれよりも長い。
【００９３】
これにより、上記一つの端子の周方向の長さが、当該一つの端子が挿通される挿通孔の幅広部の周方向の長さよりも短く、かつ、他の二つの挿通孔の幅広部の周方向の長さのいずれよりも短ければ、ユーザは、上記一つの端子を、他の二つの挿通孔に挿通することができない。つまり、上記一つの端子が誤って対応していない接続端子に電気的に接続されてしまうことが抑制される。
【００９４】
また、例えば、上記一つの端子は、第三端子１２３である。
【００９５】
これにより、第三端子１２３の周方向の長さＬａ３が、第三挿通孔２１３の幅広部の周方向の長さＬｃ３よりも短く、かつ、第一挿通孔２１１の幅広部の周方向の長さＬｃ１、及び、第二挿通孔２１２の幅広部の周方向の長さＬｃ２のいずれよりも短ければ、ユーザは、第三端子１２３を、第一挿通孔２１１及び第二挿通孔２１２に挿通することができない。つまり、第三端子１２３が誤って第一接続端子２２１または第二接続端子２２２に電気的に接続されてしまうことが抑制される。
【００９６】
また、照明器具３００は、照明器具用アダプタ１００（または、照明器具用アダプタ１１００）と、器具本体３１０とを備える。
【００９７】
このような照明器具３００は、照明器具用アダプタ１００（または、照明器具用アダプタ１１００）に接地用の第三端子１２３が設けられているため、安全性が向上される。
【００９８】
また、引掛シーリングボディ２００は、照明器具３００の器具本体３１０を接続するための照明器具用アダプタ１００が取り付けられる引掛シーリングボディである。照明器具用アダプタ１００は、照明器具用アダプタ１００が備える、給電用の第一端子１２１及び第二端子１２２、並びに、接地用の第三端子１２３のそれぞれが引掛シーリングボディ２００に設けられた挿通孔に挿通された状態で、回動されることにより引掛シーリングボディ２００に取り付けられる。引掛シーリングボディ２００は、第一端子１２１が挿通される挿通孔である第一挿通孔２１１、第二端子１２２が挿通される挿通孔である第二挿通孔２１２、及び、第三端子１２３が挿通される挿通孔である第三挿通孔２１３が設けられた本体部２１０と、本体部２１０内に設けられた、第一端子１２１が電気的に接続される第一接続端子２２１と、本体部２１０内に設けられた、第二端子１２２が電気的に接続される第二接続端子２２２と、本体部２１０内に設けられた、第三端子１２３が電気的に接続される第三接続端子２２３とを備える。本体部２１０において、第一挿通孔２１１、第二挿通孔２１２、及び、第三挿通孔２１３は、回動の軸の位置Ｐを中心とした円周上に配置される。
【００９９】
このような引掛シーリングボディ２００は、接地用の第三接続端子２２３が設けられているため、照明器具３００の安全性を向上することができる。また、照明器具用アダプタ１００の引掛シーリングボディ２００への取り付け強度は、端子を二つだけ有する照明器具用アダプタよりも向上される。
【０１００】
また、例えば、本体部２１０において、第一挿通孔２１１、第二挿通孔２１２、及び、第三挿通孔２１３は、回動の軸の位置Ｐを中心とした円周上に等ピッチで配置される。
【０１０１】
これにより、照明器具用アダプタ１００の３つの端子が挿通される３つの挿通孔が回動の軸の位置Ｐを中心とした円周上に等ピッチで配置されているため、照明器具用アダプタ１００の引掛シーリングボディ２００への取り付けバランスは、端子を２つだけ有する照明器具用アダプタよりも向上される。
【０１０２】
また、引掛シーリングボディ２００においては、本体部２１０内において、第一接続端子２２１、第二接続端子２２２、及び、第三接続端子２２３は、回動の軸の位置Ｐを中心とした円周上に等ピッチで配置される。
【０１０３】
このような引掛シーリングボディ２００に照明器具用アダプタ１１００が取り付けられるときには、第三端子１２３が第一端子１２１及び第二端子１２２よりも先に第三接続端子２２３に接続される。第三端子１２３は接地用の端子であるため、第三端子１２３が第一端子１２１及び第二端子１２２よりも先に第三接続端子２２３に接続されれば、照明器具用アダプタ１００を引掛シーリングボディ１２００に取り付ける際の安全性を向上することができる。
【０１０４】
また、引掛シーリングボディ１２００においては、本体部２１０内を引掛シーリングボディ１２００が取り付けられる構造物側から見た場合に、第一接続端子２２１、第二接続端子２２２、及び、第三接続端子２２３は、回動の軸の位置Ｐを中心とした円周上に、時計回りの方向においてこの順番で配置される。第一接続端子２２１及び第三接続端子２２３のピッチは、１２０°よりも小さく、第二接続端子２２２及び第三接続端子２２３のピッチは、１２０°よりも大きい。
【０１０５】
このような引掛シーリングボディ１２００に照明器具用アダプタ１００または照明器具用アダプタ１１００が取り付けられるときには、第三端子１２３が第一端子１２１及び第二端子１２２よりも先に第三接続端子２２３に接続される。第三端子１２３は接地用の端子であるため、第三端子１２３が第一端子１２１及び第二端子１２２よりも先に第三接続端子２２３に接続されれば、照明器具用アダプタ１００または照明器具用アダプタ１１００を引掛シーリングボディ１２００に取り付ける際の安全性を向上することができる。
【０１０６】
また、例えば、引掛シーリングボディ１２００において、第一接続端子２２１及び第二接続端子２２２のピッチは、１２０°である。
【０１０７】
このような引掛シーリングボディ１２００に照明器具用アダプタ１００または照明器具用アダプタ１１００が取り付けられるときには、第三端子１２３が第一端子１２１及び第二端子１２２よりも先に第三接続端子２２３に接続される。第三端子１２３は接地用の端子であるため、第三端子１２３が第一端子１２１及び第二端子１２２よりも先に第三接続端子２２３に接続されれば、照明器具用アダプタ１００または照明器具用アダプタ１１００を引掛シーリングボディ１２００に取り付ける際の安全性を向上することができる。
【０１０８】
また、例えば、第一挿通孔２１１、第二挿通孔２１２、及び、第三挿通孔２１３のそれぞれは、回動の軸の位置Ｐを中心とした円周の周方向に沿う形状を有する。第一挿通孔２１１、第二挿通孔２１２、及び、第三挿通孔２１３のそれぞれの当該周方向の一方の端部は、径方向の幅が他の部分よりも広い幅広部となっている。第一挿通孔２１１、第二挿通孔２１２、及び、第三挿通孔２１３のうちの一つの挿通孔の幅広部の周方向の長さは、他の二つの挿通孔の幅広部の周方向の長さのいずれよりも長い。
【０１０９】
これにより、上記一つ挿通孔に挿通される端子の周方向の長さが、当該一つの挿通孔の幅広部の周方向の長さよりも短く、かつ、他の二つの挿通孔の幅広部の周方向の長さのいずれよりも長ければ、ユーザは、上記端子を、他の二つの挿通孔に挿通することができない。つまり、上記端子が誤って対応していない接続端子に電気的に接続されてしまうことが抑制される。
【０１１０】
また、例えば、上記一つの挿通孔は、第三挿通孔２１３である。
【０１１１】
これにより、上記第三端子１２３の周方向の長さが、第三挿通孔２１３の幅広部の周方向の長さよりも短く、かつ、第一挿通孔２１１の幅広部の周方向の長さ、及び、第二挿通孔２１２の幅広部の周方向の長さのいずれよりも長ければ、ユーザは、第三端子１２３を第一挿通孔２１１及び第二挿通孔２１２に挿通することができない。つまり、第三端子１２３が誤って第一接続端子２２１または第二接続端子２２２に電気的に接続されてしまうことが抑制される。
【０１１２】
（その他の実施の形態）
以上、実施の形態について説明したが、本発明は、上記実施の形態に限定されるものではない。
【０１１３】
例えば、上記実施の形態の照明器具用アダプタにおいては、第一レバーの第一被操作部及び第二レバーの第二被操作部の間隔が押し広げられることで第一係止部材及び第二係止部材が筐体内に押し込まれる構造を有する。しかしながら、照明器具用アダプタは、第一レバーの第一被操作部及び第二レバーの第二被操作部の間隔を押し狭めることで第一係止部材及び第二係止部材が筐体内に押し込まれる構造を有してもよい。
【０１１４】
また、上記実施の形態で説明された照明器具は一例であり、照明器具の具体的態様については特に限定されない。照明器具は、照明器具用アダプタを用いて引掛シーリングボディに接続されるのであれば、どのような態様であってもよい。
【０１１５】
また、引掛シーリングボディの具体的態様についても特に限定されない。引掛シーリングボディとしては、丸型フル引掛シーリング、フル引掛ローゼット、丸型引掛シーリング、角型引掛シーリング、引掛埋込ローゼット、及び、引掛露出ローゼットなどが用いられる。
【０１１６】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【０１１７】
例えば、本発明は、上記実施の形態に係る引掛シーリングボディとして実現されてもよい。また、上記実施の形態に係る照明器具用アダプタ、及び、上記実施の形態に係る引掛シーリングボディを備える照明器具用アダプタセットとして実現されてもよい。
【符号の説明】
【０１１８】
１００、１１００  照明器具用アダプタ
１１０  筐体
１１１ａ  第一面（対向面）
１２１  第一端子
１２２  第二端子
１２３  第三端子
２００、１２００  引掛シーリングボディ
２１１  第一挿通孔
２１２  第二挿通孔
２１３  第三挿通孔
３００  照明器具
３１０  器具本体
【図１】
2020087663.tif 000003
【図２】
2020087663.tif 000004
【図３】
2020087663.tif 000005
【図４】
2020087663.tif 000006
【図５】
2020087663.tif 000007
【図６】
2020087663.tif 000008
【図７】
2020087663.tif 000009
【図８】
2020087663.tif 000010
【図９】
2020087663.tif 000011
【図１０】
2020087663.tif 000012
【図１１】
2020087663.tif 000013
【図１２】
2020087663.tif 000014
【図１３】
2020087663.tif 000015